(57)【要約】【課題】外観に優れるとともに、戸体の開放及び閉鎖を適切に、かつ円滑に行うことのできる折れ戸装置を提供する。【解決手段】建物開口部の４辺に沿って配置される上横枠３、下横枠４、及び縦枠５、６を有する枠体２と、該枠体内に具備される複数の戸体１０、１０、…と、隣り合う戸体の端部同士を回動可能に連結するヒンジ２０、２０、…と、を有し、戸体が折り畳み、及び展開可能とされることにより開放、及び閉鎖される折れ戸装置１であって、ヒンジのうち上横枠に沿って移動するヒンジに設けられ、上横枠の内側を移動する移動手段と、上横枠の内側に、上横枠の室内外方向に突出することなく設けられ、移動手段の移動の軌道上に一部が配置される抵抗部材４０と、を備え、抵抗部材は、戸体の展開の際、移動手段に掛止し、該掛止された移動手段より戸先側にある戸体が展開を終えるまで掛止された移動手段から離脱しないものとする。【選択図】図５
2007297828.tif 000002
【特許請求の範囲】
【請求項１】
建物開口部の４辺に沿って配置される上横枠、下横枠、及び縦枠を有する枠体と、該枠体内に具備される複数の戸体と、隣り合う前記戸体の端部同士を回動可能に連結するヒンジと、を有し、前記戸体が折り畳み、及び展開可能とされることにより開放、及び閉鎖される折れ戸装置であって、
前記ヒンジのうち前記上横枠に沿って移動するヒンジに設けられ、前記上横枠の内側を移動する移動手段と、
前記上横枠の内側に、前記上横枠の室内外方向に突出することなく設けられ、前記移動手段の移動の軌道上に一部が配置される抵抗部材と、を備え、
前記抵抗部材は、前記戸体の前記展開の際、前記移動手段に掛止し、該掛止された前記移動手段より戸先側にある前記戸体が展開を終えるまで前記掛止された前記移動手段から離脱しないことを特徴とする折れ戸装置。
【請求項２】
前記移動手段が、前記上横枠に沿って移動する前記ヒンジの上部から該上横枠の内側に延在する軸と、前記軸の上端に設けられた車輪と、を有し、
前記抵抗部材が、前記戸体の前記展開の際、前記軸に掛止したときの該軸からの押圧力により、該押圧力に抵抗するように付勢される弾性部材を備え、
該付勢された力により前記掛止を維持することを特徴とする請求項１に記載の折れ戸装置。
【発明の詳細な説明】
【技術分野】
【０００１】
本発明は、店舗、住宅や公共施設等の建物の開口部に備えられる折れ戸装置に関する。詳しくは、備えられた戸体を円滑にかつ適切に折り畳む又は展開することのできる折れ戸装置に関する。
【背景技術】
【０００２】
折れ戸装置は、その開放時には、折れ戸装置に備えられる複数の戸体が、折り畳まれて略室内外方向に並べられ、開口部の端部にまとめて配置される。そのため戸体を開放したときに開口部を広く有効に利用することができる。また一方で、戸体の閉鎖時には該戸体に具備されたガラスパネルにより、中を見ることができたり、光を採り入れたりすることができる。かかる利便性から、例えば店舗におけるシャッターの代わりとして用いられることも多くなってきた。
【０００３】
図２１（ａ）〜図２１（ｃ）は、従来の折れ戸装置４００を上から見た図で、説明のために一部の部材のみを示している。図２１（ａ）〜図２１（ｃ）では、戸体ガイド４２６、４２７を挟んで紙面上が室内側、紙面下が室外側である。図２１（ａ）は複数配置された戸体４１０、４１０、…が折り畳まれた姿勢、図２１（ｂ）は該戸体４１０、４１０、…が展開された姿勢を示す。また、図２１（ｃ）は戸先部材４２１を紙面右方向に戸体ガイド４２６、４２７に沿って移動させることにより戸体４１０、４１０、…を折り畳まれた姿勢から展開された姿勢に移動させるときの一場面を示したものである。
【０００４】
図２１（ａ）〜図２１（ｃ）に示したように折れ戸装置４００は、ヒンジ４２０、４２０、…を介して回動可能に連結された複数の戸体４１０、４１０、…を備えている。そして戸体４１０、４１０、…が折り畳まれた時には図２１（ａ）のように該戸体４１０、４１０、…が室内外方向に略水平に並んで配置される。一方、戸体４１０、４１０、…の展開時には図２１（ｂ）のように、該戸体４１０、４１０、…は戸体ガイド４２６、４２７（枠体）に沿って並んで配置される。
【０００５】
かかる折れ戸装置４００の戸体４１０、４１０、…を折り畳んだ姿勢から展開した姿勢に移動させるときには、通常戸先に設けられた戸先部材４２１を戸体ガイド４２６、４２７（枠体）に沿って移動させる。この際、戸先側の戸体４１０から順に展開していくことを要する。つまり、戸先側の戸体４１０が完全に展開してから隣の戸体４１０が展開するというものである。しかし従来の折れ戸装置４００では、戸先部材４２１を移動させると図２１（ｃ）に示したように、多くの戸体４１０、４１０、…が同時に移動してしまっていた。このようになると、戸先側の戸体４１０が完全に展開する前に戸体ガイド４２６に達し、戸体４１０が戸体ガイド４２６に衝突して適切に戸体４１０、４１０、…の展開ができない。また、戸体ガイド４２６がない形式の折れ戸装置であっても、閉鎖の時に多く戸体が同時に移動し始めるため、不規則な印象を受け、見た目にも好ましくなかった。
【０００６】
これを解決するために、特許文献１には、枠体から室内側又は室外側に突出して配置されたストッパーブロックと、該ストッパーブロックの面上を転動するガイドローラーとを設けた折れ戸装置が開示されている。
【特許文献１】実公平８−３６７４号公報
【発明の開示】
【発明が解決しようとする課題】
【０００７】
しかし、従来の折れ戸装置においては、上記問題を解決することが依然として求められている。また特許文献１に記載の折れ戸装置では、戸体側に設けられるガイドローラーと、枠体に設けられるストッパーブロックとが必要となり、部品点数が増えるという問題があった。また、ストッパーブロックは、該ストッパーブロックが枠体から外側に突出して配置されるため、外観上の観点から解決する要望があった。特に店舗等で使用される場合には、外観上の問題点は重要視されるため、その解決が急がれていた。また、ガイドローラーについても２枚の戸体に１つの割合で具備されるので、多くの数量を必要としていた。
【０００８】
そこで本発明はかかる観点から、外観に優れるとともに、戸体の展開を適切に、かつ円滑に行うことのできる折れ戸装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載された発明は、建物開口部の４辺に沿って配置される上横枠（３）、下横枠（４）、及び縦枠（５、６）を有する枠体（２）と、該枠体内に具備される複数の戸体（１０、１０、…）と、隣り合う戸体の端部同士を回動可能に連結するヒンジ（２０、２０、…）と、を有し、戸体が折り畳み、及び展開可能とされることにより開放、及び閉鎖される折れ戸装置（１）であって、ヒンジのうち上横枠に沿って移動するヒンジに設けられ、上横枠の内側を移動する移動手段（３０、３１、３２）と、上横枠の内側に、上横枠の室内外方向に突出することなく設けられ、移動手段の移動の軌道上に一部が配置される抵抗部材（４０）と、を備え、抵抗部材は、戸体の展開の際、移動手段に掛止し、該掛止された移動手段より戸先側にある戸体が展開を終えるまで掛止された移動手段から離脱しないことを特徴とする折れ戸装置を提供することにより前記課題を解決する。
【００１１】
請求項２に記載の発明は、請求項１に記載の折れ戸装置（１）の移動手段（３０、３１、３２）が、上横枠（３）に沿って移動するヒンジ（２０、２０、…）の上部から該上横枠の内側に延在する軸（３０、３０、…）と、軸の上端に設けられた車輪（３２、３２）と、を有し、抵抗部材（４０）が、戸体（１０、１０、…）の展開の際、軸に掛止したときの該軸からの押圧力により、該押圧力に抵抗するように付勢される弾性部材（４５）を備え、該付勢された力により掛止を維持することを特徴とする。
【発明の効果】
【００１２】
本発明によれば、戸先側の戸体から順に展開し、戸体の展開が円滑かつ見栄えよく行われる。また、戸体ガイドがあるときには、該戸体ガイドの端部に衝突することなく戸体の展開が行われるので、円滑な閉鎖をすることが可能となる。
【００１３】
また、抵抗部材は、上横枠の内側に配置され、上横枠のいずれの方向からも突出していない。これにより、室外視で突起物が無く、店舗等のイメージを特に重要視する場面でも好ましく利用することができる。さらには、簡易であり、確実性が高く、コストも低く抑えることができる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は第一実施形態にかかる本発明の折れ戸装置１の室外視正面図である。折れ戸装置１は、建物開口部の４辺に沿って取り付けられる枠体２と、該枠体内に備えられる複数の戸体１０、１０、…とを有している。該複数の戸体１０、１０、…の隣り合う戸体１０、１０同士は幅方向端部でヒンジ２０、２０、…（図２参照）を介して該端部を中心に回動可能に連結されている。枠体２は、長尺の型材である上横枠３と、下横枠４と、縦枠５、６とが枠状に組み合わされて形成されている。また、戸体１０は、ガラスパネル１５、１５と、該ガラスパネル１５、１５の外周を囲むように取り付けられる横框１１、１２、縦框１３、１４とを有している。図１に示した戸体１０、１０、…は全て同様の構成を有しているが、見易さのため一部符号の記載を省略している。折れ戸装置１は図１の紙面右に配置された戸体１０の縦枠５側端部に戸先部材２１を備えている。戸先部材２１は、いわゆる戸先に配置される部材で、通常、該戸先部材２１を操作することにより折れ戸装置１の開閉を行う。従って、折れ戸装置１では、戸先部材２１を紙面左側に移動させることにより開放を行う。開放が行われると戸体１０、１０、…は紙面左側に順次折り畳まれるように配置される。また、折れ戸装置１は図１の紙面左に配置された戸体１０の縦枠６側端部に吊り元部材２２を備えている。吊り元部材２２は、縦枠６と係合されている。
【００１７】
図２は、戸体１０、１０、…が折り畳まれたときにおける折れ戸装置１の水平断面図である。図２では、紙面上が室内側、紙面下が室外側である。また、図２でも見易さのため一部符号を省略して示している。このように、折れ戸装置１では、その開放時には戸体１０、１０、…が縦枠６側に折り畳まれるように配置される。その時の戸体１０、１０、…は室内外方向に略平行になる姿勢である。これにより開放時には大きく開口され、開口部を有効に利用することができる。また、図２からわかるように、隣り合う戸体１０、１０は、その端部同士をヒンジ２０で連結されている。当該ヒンジ２０と戸体１０の端部とは該端部を中心に連結部１６、１６、１６、…で回動可能に連結されている。そして、一方の端部が上横枠３、下横枠４（図１参照）に沿って移動し、他方の端部が室内側へ突出するように移動する。上横枠３及び下横枠４に沿って移動するヒンジ２０、２０、…には後述するように移動手段としての上軸３０、車輪３２、３２等が設けられている（図３参照）。このような動作により、戸体１０、１０、…が折り畳まれる。
【００１８】
図３は、戸体１０、１０、…が展開された姿勢における折れ戸装置１の縦断面図である。図３では紙面右が室内側、紙面左が室外側である。折れ戸装置１は、上横枠３及び下横枠４に沿って移動するヒンジ２０の上端部に移動手段としての上軸３０と、車輪軸３１と、車輪３２、３２とを備えている。詳しくは、上軸３０は、ヒンジ２０の上端部から上横枠３の内側に向けて鉛直に延在する。そして、車輪軸３１は、上軸３０の上端部に室内外方向に平行に設けられ、車輪３２、３２は、車輪軸３１の両端に該車輪軸３１を軸として回転可能に具備されている。また、当該ヒンジ２０の下端部には、下横枠４の内側に向けて鉛直に延在する下軸３５と、該下軸３５を回転軸とする車輪３６とを有している。これら上軸３０、車輪軸３１、車輪３２、３２、下軸３５、及び車輪３６は、上述したように折れ戸装置１に備えられたヒンジ２０、２０、…のうち上横枠３及び下横枠４に沿って移動するヒンジ２０、２０、…のそれぞれに具備されている。
【００１９】
上横枠３は、中空であるとともに断面における下辺が開口した部材であるレール部材２５と、該レール部材２５の下端にレール部材２５の長手方向に沿って取り付けられる戸体ガイド２６、２７とを有している。レール部材２５はその断面において、室内外の側壁からレール部材２５の内側に向けて延在する片であるレール２５ａ、２５ａを有している。このレール２５ａ、２５ａの上面を上記車輪３２、３２が転動することにより移動することができる。戸体ガイド２６、２７は、断面においてレール部材２５の下端から下方に戸体１０の上端よりも若干下である高さ位置まで延在する。さらに、戸体ガイド２６、２７は、該戸体ガイド２６、２７の下端から戸体１０側に向けて延在する片２６ａ、２７ａを有している。該片２６ａ、２７ａはその対向する端部の間隔が戸体１０の厚さより若干大きくなるようにされており、これによって戸体１０が室内外方向に大きく移動することを防止し、いわゆる戸体１０の「ばたつき」を抑えることが可能となる。
【００２０】
下横枠４は、中空であるとともに断面における上辺が開口した部材である。下横枠４は、その断面において、内側に所定の間隔を有する平行に立設された側壁４ａ、４ａを有している。この側壁４ａ、４ａの間を上記車輪３６が転動できる。
【００２１】
さらに折れ戸装置１に備えられる部材について説明する。図４は、上記戸体ガイド２６、２７と、戸体ガイド２７に取り付けられる抵抗部材４０、４０及び戸体振れ止め６０（図１３参照）の枠側部材６１を含む折れ戸装置１を上から見た図である。紙面上が室内側、紙面下が室外側である。このように、戸体ガイド２６、２７のうち室外側の戸体ガイド２７は縦枠５、６の間に渡されるように配置されている。一方、室内側の戸体ガイド２６は、縦枠５から戸体ガイド２７に略平行に延在するが、縦枠６には達しないように設けられている。これは、戸体ガイド２６が配置されない部分で戸体１０、１０、…が室内側に突出して折り畳まれるので、ここでは戸体１０、１０、…を室内方向に拘束するのは適当でないことによる。
【００２２】
また、戸体ガイド２７の縦枠６に近い側端部には該戸体ガイド２７の長手方向に並べられて２つの抵抗部材４０、４０が室内側に向けられて取り付けられている。抵抗部材４０については後で詳しく説明する。また戸体振れ止め６０についても後で詳しく説明する。
【００２３】
図５は、抵抗部材４０が備えられた部分の折れ戸装置１の縦断面図で、そのうちの上端部を示した図である。図５では紙面右が室内側、紙面左が室外側である。抵抗部材４０が備えられている部位なので、室内側の戸体ガイド２６は配置されていない。図５からわかるように、抵抗部材４０は戸体ガイド２７から室内側に向けて延在し、その室内側端部が上軸３０の移動の軌道上にあるように配置される。上軸３０と、抵抗部材４０との関係は後で詳しく説明する。
【００２４】
次に抵抗部材４０について説明する。図６は抵抗部材４０の斜視図で、図６（ａ）が室内側斜め下方から、図６（ｂ）が室内側斜め上方から見た図である。抵抗部材４０は、鉛直に配置された平板であるベース４１と、該ベース４１の上端面からベース４１に直交する方向に延在する平板である支持片４２と、支持片４２の下方に備えられるアーム４４とを備えている。ベース４１にはその厚さ方向に貫通する孔４１ａ、４１ｂが設けられ、該孔４１ａ、４１ｂを介して固定部材により上横枠３に取付けられる。支持片４２は、該支持片４２のベース４１側端部にその一部が切り欠かれた切欠き部４２ａを有している。アーム４４は、その水平断面においてベース４１から離れるに従い細くなる形状を有した部材である。アーム４４の太い部分は支持片４２の直下に配置され、鉛直方向を軸方向とする回動軸４３で、支持片４２に取り付けられている。一方、アーム４４の細い側の先端は、支持片４２から突出して配置される。従ってアーム４４は回動軸４３を軸として回動可能とされている。
【００２５】
さらに抵抗部材４０について説明する。図７は、抵抗部材４０の図７（ａ）が平面図、図７（ｂ）が側面図である。図７（ａ）、図７（ｂ）では適宜透視して部材を示している。抵抗部材４０は巻きバネ４５を有している。巻きバネ４５を斜線で示した。巻きバネ４５の巻かれた部分は、回動軸４３に巻きつけられている。また、巻きバネ４５の２つの端部のうち一方の端部はベース４１側に延在し、その先端が上方に折り曲げられている。そして該折り曲げられた端部が支持片４２の切欠き部４２ａの側壁に当接されて配置されている。巻きバネ４５の他方の端部は、アーム４４の厚さ方向に設けられた溝４４ａの内側に配置されている。ここで、巻きバネ４５のベース４１側の端部は、切欠き部４２ａが所定の幅（図７（ａ）の上下方向）を有しているので、該端部は切欠き部４２ａの幅方向の範囲で移動することができる。一方、巻きバネ４５のアーム４４側端部は、溝４４ａの幅が巻きバネ４５の線径と略同じに形成されているので、該端部は端部のみで移動することができない。
【００２６】
アーム４４は、細くなる側の先端部において図７（ａ）に示したように一方の辺（面）４４ｂがベース４１に垂直な方向に平行（紙面左右方向に平行）で、他方の辺（面）４４ｃが該垂直な方向に対して所定の角度（図７（ａ）における「Ａ」）を有するように取り付けられる。
【００２７】
次に抵抗部材４０の動作及びその時の特徴について説明する。図８（ａ）は抵抗部材４０のアーム４４に対し、該アーム４４の面４４ｂを押す力（図８（ａ）中の直線矢印方向の力）を加えた一場面を示している。図８（ｂ）は抵抗部材４０のアーム４４に対し、該アーム４４の面４４ｃを押す力（図８（ｂ）中の直線矢印方向の力）を加えた一場面を示している。
【００２８】
図８（ａ）のように力を加えた場合、巻きバネ４５のベース４１側端部は、切欠き部４２ａの一方の側面に当接されるとともに、巻きバネ４５が付勢され、アーム４４には該アーム４４に加えた力に対して反対方向の力を生じる。従って、かかる場合においては、加えた力に抵抗する力が大きく発生する。一方、図８（ｂ）のように力を加えた場合には、巻きバネ４５のベース４１側端部は、アーム４４の回動に追随して切欠き部４２ａ内を該切欠き部４２ａの他方の側面に当接するまで移動する。このとき、巻きバネ４５は付勢されることがないのでアーム４４には加えた力に対して反発する抵抗力は生じない。
【００２９】
かかる構成、及び動作の特徴を有する抵抗部材４０が折れ戸装置１に備えられる。次に、該抵抗部材４０の折れ戸装置１への配置について説明する。図９は、戸体１０、１０、…が折り畳まれた姿勢における、抵抗部材４０、４０と戸体１０、１０、…との位置関係を説明するために模式的に示した拡大図であり、折れ戸装置１を上から見た図である。従って図９では紙面上が室内側、紙面下が室外側である。本実施形態における抵抗部材４０、４０は２つ設けられており、戸体ガイド２７に室内側に向けて所定間隔を有して並べられて配置されている。さらに詳しくは、一方の抵抗部材４０は、戸体１０、１０、…の折り畳まれた姿勢で、最も戸先部材２１に近いヒンジ２０に備えられた上軸３０の戸先側に配置される。他方の抵抗部材４０は、最も縦枠６側に具備される上軸３０の戸先側に設けられる。そして、抵抗部材４０、４０のアーム４４、４４の室内側先端は上軸３０、３０、…の移動の軌道上に配置されている。
【００３０】
また、図９及び図５からもわかるように、抵抗部材４０、４０は上横枠３の室内外側のいずれにも突出することなく配置され、該上横枠３の内側に収められている。これにより上横枠３から突出する部材がなく、優れた意匠性を有する折れ戸装置１を提供することができる。
【００３１】
本実施形態では、抵抗部材を２つ設けているが、必ずしも２つである必要はなく、１つであっても良い。また、戸体の使用枚数によって、３つ以上備えても良い。
【００３２】
次に戸体１０、１０、…の折り畳み及び展開時における該戸体１０、１０、…と抵抗部材４０、４０との関係を説明する。図１０は、戸体１０、１０、…を展開する過程を順を追って図１０（ａ）〜図１０（ｄ）で示した図である。図１１は、そのとき戸先側に配置された抵抗部材４０の動作を順を追って示した図である。図１１の（ａ）〜（ｄ）は、図１０の（ａ）〜（ｄ）に対応している。図１０、図１１では、紙面上が室内側、紙面下が室外側である。
【００３３】
図１０（ａ）、図１１（ａ）に示した姿勢では、戸体１０、１０、…は折り畳まれた姿勢である。このとき抵抗部材４０の縦枠６側に上軸３０が、該抵抗部材４０のアーム４４の面４４ｂに当接して配置されている。かかる姿勢から図１０（ｂ）に示すように戸先部材２１を戸体ガイド２７に沿って戸体１０、１０、…を展開させる方向に移動させる。この場合には抵抗部材４０に当接した上軸３０も該移動に追随して展開される方向に移動しようとする。しかし、図１１（ｂ）のように、抵抗部材４０が図８（ａ）に示した状態となるため、上軸３０が抵抗を受けて掛止され、その移動が制限される。これにより、該掛止された上軸３０よりも戸先側にある２枚の戸体１０、１０のみが適切に展開する。この状態からさらに戸先部材２１を展開の方向に移動すると、そのときは該展開の力が、抵抗部材４０に掛止されて移動を制限されていた上軸３０を移動させる力となる。そしてこの力が、アーム４４の付勢による抵抗力よりも大きくなり、図１１（ｃ）のように上軸３０は展開の方向へ移動する。さらに折れ戸装置１の閉鎖を継続すると、抵抗部材４０から上軸３０が離脱し、巻きバネ４５の回復力により、図１１（ｄ）の姿勢に戻る。そして次に移動してきた上軸３０について図１１(ａ)〜図１１（ｄ）の動作が繰り返される。これにより戸先側から順に展開し、適切に折れ戸装置１の閉鎖をすることができる。
【００３４】
一方、戸体１０、１０、…の折り畳みは、次のような順に行われる。図１２は、戸体１０、１０、…の折り畳み時における図１１に相当する図で、戸体１０、１０、…が折り畳まれる順を図１２（ａ）〜図１２（ｄ）で示したものである。戸体１０、１０、…の折り畳み時には、図１２(ａ)に示したように始めに上軸３０がアーム４４の面４４ｃに当接される。さらに折り畳みを継続しても図１２（ｂ）のように、アーム４４が回動するため、図８（ｂ）で説明した状態になり、上軸３０のその移動に際してほとんど抵抗力を生じない。図１２（ｂ）の状態からさらに開放を続けると巻きバネ４５は若干付勢され、アーム４４の回動の際に抵抗が生じるが、面４４ｃが上述のように所定の傾斜を有しているので抵抗力は小さく抑えられる。そして上軸３０がアーム４４から離脱すると当該付勢に基づく回復力により図１２（ｄ）の姿勢に戻ることができる。また、例え完全には戻らなくても少なくとも図１２（ｂ）に示した姿勢を維持する。従ってさらに戸体１０、１０、…の折り畳みに伴う次の上軸３０が面４４ｃに当接され、当該次の上軸３０に対して以上のような動作が繰り返される。
【００３５】
以上のような抵抗部材４０と上軸３０との関係により、適切な戸体１０、１０、…の折り畳み及び展開が可能な折れ戸装置１を提供することができる。抵抗部材がいくつ備えられていても、各抵抗部材は上記動作をすることにより戸体１０、１０、…の適切な折り畳み及び展開をさせる。
【００３６】
次に戸体振れ止め６０について説明する。図１３（ａ）は、戸体振れ止め６０が設置された部分の折れ戸装置１の縦断面である。図１３（ｂ）は、戸体１０、１０、…が展開された姿勢における戸体振れ止め６０の配置された部分の平面図である。戸体振れ止め６０は、上横枠３に取り付けられる枠側部材６１と、ヒンジ２０の上部に取り付けられるヒンジ側部材６２とを備えている。戸体振れ止め６０は、折れ戸装置１に１つ備えられている。ただし必ずしも１つである必要はなく、２つ以上備えられてもよい。
【００３７】
図１４に枠側部材６１の斜視図を示した。枠側部材６１は水平断面、及び縦断面ともに台形である部材で、水平断面における台形の斜面として面６１ａ、６１ａを有し、上底として面６１ｂを有している。縦断面における台形の斜面としては面６１ｃを備えている。
【００３８】
図１５にヒンジ側部材６２の斜視図を示した。ヒンジ側部材６２は、接触部６３と、該接触部６３の下面から鉛直下方に延設された軸である上下動軸６４と、上下動軸６４が挿入される筒体６５と、該筒体６５をヒンジ２０に固定するための固定部６６とを備えている。接触部６３は、水平断面が五角形、縦断面が台形である部位で、五角形における斜面として６３ａ、６３ａを、台形における斜面として６３ｃを有している。上下動軸６４は筒体６５に差し込まれるように挿入され、上下動することができるように設けられている。このとき上下動軸は不図示の弾性部材とともに筒体に挿入され、上下動軸６４が下方に移動されたとき上方に付勢されるようにされている。
【００３９】
かかる構成を有する戸体振れ止め６０は、図１３に示したように配置される。すなわち、枠側部材６１は、戸体ガイド２６が設けられていない部分における上横枠３のレール部材２５の下面に取り付けられる。このとき、面６１ｃを下に向け、面６１ａ、６１ｂを戸体ガイド２７側に向けられる。ヒンジ側部材６２は、戸体１０、１０、…の折り畳みの姿勢において室内側に突出して配置されるヒンジ２０のうちの１つの上部に取り付けられる。そして戸体１０、１０、…の展開の姿勢で、図１３（ｂ）に示したように枠側部材６１とヒンジ側部材６２とが室内外方向（図１２（ｂ）において紙面上下方向）並べられるような位置関係となるように配置される。
【００４０】
次に戸体振れ止め６０の動作について説明する。図１６は戸体１０、１０、…が折り畳まれた姿勢から展開されるときにおける戸体振れ止め６０の動作を順を追って示した模式的な平面図である。図１６（ａ）のように、展開の過程でヒンジ２０に取り付けられたヒンジ側部材６２が枠側部材６１に近づく。さらに展開の動作が継続されると、図１６（ｂ）に示すように枠側部材６１の面６１ａと、ヒンジ側部材６２の接触部６３の面６３ａとが接する。さらなる展開の動作により接触部６３は、図１６（ｃ）に示すように枠側部材６１の面６１ａに沿って移動して面６１ｂに達する。これにより接触部６３、つまりはヒンジ側部材６２、該ヒンジ側部材６２が取り付けられたヒンジ２０、該ヒンジ２０が取り付けられた戸体１０、１０の連結部は室内外方向の移動が制限され、戸体１０、１０、…のいわゆる「がたつき」が防止される。
【００４１】
図１７は、図１６に示したように適切に枠側部材６１と、ヒンジ側部材６２とが接触せずにヒンジ側部材６２が枠側部材６１より室内側に配置されてしまった場合に、枠側部材６１とヒンジ側部材６２とを適切に接触させ、図１３に示した姿勢とする手順を模式的に示した縦方向の図である。最初、図１７（ａ）に示したように戸体１０、１０、…が展開の姿勢にされた後でも、ヒンジ側部材６２が枠側部材６１より室内側に配置されてしまった場合を考える。かかる場合にはヒンジ側部材６２が備えられたヒンジ２０を室外側に押し込む動作をすると、図１７（ｂ）に示したように面６１ｃと面６３ｃとが接触する。引き続き当該ヒンジ２０を室外側へ押し込むと、ヒンジ側部材６２の接触部６３の上下動軸６４が下に移動しつつ、図１７（ｃ）のようにさらに室外側へ押し込まれる。そして最終的に図１７（ｄ）に示したように枠側部材６１と、ヒンジ側部材６２とは図１３に示したような適切な位置に配置される。このとき上下動軸６４は、筒体６５に具備された弾性部材により上に押し戻され、通常の位置に戻されている。
【００４２】
以上のような戸体振れ止め６０により閉鎖後も適切に戸体１０、１０、…が枠体２内に「がたつき」なく配置される。
【００４３】
以上説明したような本発明の折れ戸装置１により、外観に優れるとともに、戸体の折り畳み及び展開を適切に、かつ円滑に行うことのできる折れ戸装置を提供することが可能となる。第一実施形態にかかる折れ戸装置１では、戸体が室外視左側に、室内側に突出するように折り畳まれるが、必ずしもこの形態に限定されるものではない。他の形態として、室外視右側に室内側に突出する戸体、室外視左側に室外側に突出する戸体、室外視右側に室外側に突出する戸体を備えた折れ戸装置等を挙げることができる。
【００４４】
次に第二実施形態にかかる本発明の折れ戸装置１０１について説明する。折れ戸装置１０１は折れ戸装置１に対し、抵抗部材のみが異なるので、ここでは折れ戸装置１０１の抵抗部材１４０についてのみ説明する。図１８に上横枠１０３、上軸１３０、車輪軸１３１、車輪１３２、レール１２５ａ、及び抵抗部材１４０の関係を示す模式的な図を示した。図１８は戸体の展開の際に車輪１３２が紙面左から右へ移動する正面図である。抵抗部材１４０は、抵抗体１４１と、該抵抗体１４１と上横枠１０３とを連結する弾性部材１４３、１４４とを有している。抵抗体１４１は上横枠１０３の上面から延在する弾性部材１４３、１４４に吊り下げられるように取り付けられている。従って、該抵抗部材１４０の分だけ上横枠１０３内側の上下方向の間隙が狭くなっている。かかる状態において図１８（ａ）のように車輪１３２が抵抗部材１４０に近づく。すると、車輪１３２はその上部で図１８（ｂ）に示したように抵抗体１４１に引っ掛かる。これにより戸先側の戸体が展開を終えるまで車輪１３２の移動は制限される。この後、戸先側の戸体の展開が終了すると戸体を展開しようとする力は直接車輪１３２を移動させようとする力となるため、このとき弾性部材１４３、１４４が大きく変形し、車輪１３２は抵抗部材１４０の下を通り抜けることができる。抵抗部材１４０はこのように戸体の移動を適切に制限することができる。
【００４５】
次に第三実施形態にかかる本発明の折れ戸装置２０１について説明する。折れ戸装置２０１は折れ戸装置１に対し、抵抗部材のみが異なるので、ここでは折れ戸装置２０１の抵抗部材２４１についてのみ説明する。図１９に上横枠２０３、上軸２３０、車輪軸２３１、車輪２３２、レール２５１ａ、及び抵抗部材２４１の関係を示す模式的な図を示した。図１９は戸体の展開の際に車輪２３２が紙面左から右へ移動する正面図である。抵抗部材２４１は、レール２５１ａの上面に突出して配置される部材である。従って、該抵抗部材２４１の分だけ上横枠２０３内側の上下方向の間隙が狭くなっている。かかる状態において図１９（ａ）のように車輪２３２が抵抗部材２４１に近づく。すると、車輪２３２はその下部で図１９（ｂ）に示したように抵抗部材２４０に引っ掛かる。これにより戸先側の戸体が展開を終えるまで車輪２３２の移動は制限される。この後、戸先側の戸体の展開が終了すると戸体を展開しようとする力は直接車輪２３２を移動させようとする力となるため、このとき車輪２３２は抵抗部材２４１を乗り越えることができ、該抵抗部材２４１を通りぬけることができる。抵抗部材２４１はこのように戸体の移動を適切に制限することができる。
【００４６】
次に第四実施形態にかかる本発明の折れ戸装置３０１について説明する。折れ戸装置３０１は折れ戸装置１に対し、抵抗部材のみが異なるので、ここでは折れ戸装置３０１の抵抗部材３４０についてのみ説明する。図２０に上軸３３０及び抵抗部材３４０の関係を示す模式的な図を示した。図２０は戸体の展開の際に車輪が紙面左から右へ移動する上面から見た図である。抵抗部材３４０は、回動軸３４１、３４２と、該回動軸３４１、３４２に掛け渡されて取り付けられたベルト３４３と、ベルト３４３の表面に複数設けられた突起３４４、３４４、…とを備えている。そして該抵抗部材３４０の突起が上軸３４０の側面から移動の軌道上に干渉して配置されるように取り付けられる。かかる状態において図２０（ａ）のように上軸３３０が抵抗部材３４０に近づく。すると、上軸３３０は図２０（ｂ）に示したように抵抗部材３４０の突起３４４に引っ掛かる。これにより戸先側の戸体が展開を終えるまで上軸３３０の移動は制限される。この後、戸先側の戸体の展開が終了すると戸体を展開しようとする力は直接上軸３３０を移動させようとする力となるため、このときベルト３４３が回動軸３４１、３４２に追随して回動し、該抵抗部材３４０を通りぬけることができる。抵抗部材３４０はこのように戸体の移動を適切に制限することができる。
【００４７】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う折れ戸装置も本発明の技術的範囲に包含されるものとして理解されなければならない。
【図面の簡単な説明】
【００４８】
【図１】第一実施形態にかかる本発明の折れ戸の室外視正面図である。
【図２】戸体が折り畳まれた姿勢の折れ戸の横断面図である。
【図３】折れ戸の縦断面図である。
【図４】折れ戸に備えられる他の部材を説明するために模式的に示した上面図である。
【図５】抵抗部材が備えられた部分の折れ戸の縦断面図で、そのうちの上端部を示した図である。
【図６】抵抗部材４０の斜視図である。
【図７】抵抗部材の平面図及び側面図である。
【図８】抵抗部材の動作を説明するための図である。
【図９】戸体が展開された姿勢における抵抗部材と戸体との位置関係を説明するために模式的に示した拡大図である。
【図１０】戸体を展開する過程を順を追って示した図である。
【図１１】図１０における戸先側に配置された抵抗部材の動作を順を追って示した図である。
【図１２】戸体の展開時における戸先側に配置された抵抗部材の動作を順を追って示した図である。
【図１３】戸体振れ止めが設置された部分の折れ戸の縦断面、及び戸体が展開された状態における戸体振れ止めの配置された部分における平面図である。
【図１４】枠側部材の斜視図である。
【図１５】ヒンジ側部材の斜視図である。
【図１６】戸体が折り畳まれた姿勢から展開されるときにおける戸体振れ止めの動作を順を追って示した模式的な平面図である。
【図１７】図１６に示したように適切に枠側部材と、ヒンジ側部材とが接触せずにヒンジ側部材が室内側に配置されてしまった場合に、枠側部材とヒンジ側部材とを適切に接触させ、図１３に示した姿勢とする手順を模式的に示した縦方向の図である。
【図１８】第二実施形態にかかる抵抗部材を説明するための図である。
【図１９】第三実施形態にかかる抵抗部材を説明するための図である。
【図２０】第四実施形態にかかる抵抗部材を説明するための図である。
【図２１】従来の折れ戸装置の開閉について説明するための該折れ戸装置を上から見た模式図である。
【符号の説明】
【００４９】
１  折れ戸装置
２  枠体
３  上横枠
４  下横枠
５  縦枠
６  縦枠
１０  戸体
１１  横框
１２  横框
１３  縦框
１４  縦框
１５  ガラスパネル
１６  連結部材
２０  ヒンジ
２１  戸先部材
２２  吊り元部材
２５  レール部材
２６  戸体ガイド
２７  戸体ガイド
３０  上軸
３１  車輪軸
３２  車輪
３５  下軸
３６  車輪
４０  抵抗部材
４１  ベース
４２  支持片
４３  回動軸
４４  アーム
４５  巻きバネ
６０  戸体振れ止め
６１  枠側部材
６２  ヒンジ側部材
６３  接触部
６４  上下動軸
６５  筒体
６６  固定部
【図１】
2007297828.tif 000003
【図２】
2007297828.tif 000004
【図３】
2007297828.tif 000005
【図４】
2007297828.tif 000006
【図５】
2007297828.tif 000007
【図６】
2007297828.tif 000008
【図７】
2007297828.tif 000009
【図８】
2007297828.tif 000010
【図９】
2007297828.tif 000011
【図１０】
2007297828.tif 000012
【図１１】
2007297828.tif 000013
【図１２】
2007297828.tif 000014
【図１３】
2007297828.tif 000015
【図１４】
2007297828.tif 000016
【図１５】
2007297828.tif 000017
【図１６】
2007297828.tif 000018
【図１７】
2007297828.tif 000019
【図１８】
2007297828.tif 000020
【図１９】
2007297828.tif 000021
【図２０】
2007297828.tif 000022
【図２１】
2007297828.tif 000023